(57)【特許請求の範囲】
【請求項１】
コンピュータがギフトの推奨、監視、選択及び配送を行うための方法であって、
データネットワークにトランザクションプロファイルを維持し、該トランザクションプロファイルは贈呈者の個人情報と受取人のリストとを有し、該トランザクションプロファイルを保護し、
前記データネットワークにターゲットプロファイルを維持し、該ターゲットプロファイルは前記贈呈者に関する情報を有し、該ターゲットプロファイルは前記贈呈者に関するイベントの不確定要素、ロジスティックの不確定要素、身元の不確定要素、アクティビティの不確定要素、及び好みの不確定要素を備え、
複数のターゲットサブプロファイルを形成し、前記受取人のリストの各受取人は一つのターゲットサブプロファイルと関連し、各ターゲットサブプロファイルは各受取人に関するイベントの不確定要素、ロジスティックの不確定要素、身元の不確定要素、アクティビティの不確定要素、及び好みの不確定要素を備え、
複数のギフトオプションを有するギフト選択メニューを提示し、各ギフトオプションはターゲット格付けを有し、該ギフト選択メニューの該ギフトオプションは設定された範囲のターゲット格付けを有し、該ターゲット格付けは前記ターゲットプロファイルと前記ターゲットサブプロファイルとに基き、
前記ギフト選択メニューにおける前記複数のギフトオプションから一つの選択されたギフトオプションを前記贈呈者に選定させ、
前記選択されたギフトオプションの通知を、前記受取人の前記ターゲットサブプロファイルに従って、前記受取人に送信し、
前記選択されたギフトオプションの前記通知に対する前記受取人の応答を前記ターゲットプロファイルと前記ターゲットサブプロファイルとに格納し、該応答は該ターゲットプロファイルと該ターゲットサブプロファイルとにおけるギフト履歴の不確定要素であることを特徴とする、
ギフトの推奨、監視、選択及び配送を行うための方法。
【請求項２】
ギフト選択メニュー１００を提示する前記ステップは、
前記贈呈者に対応する前記ターゲットプロファイルのイベントの不確定要素１０２、ロジスティックの不確定要素１０２、身元の不確定要素１０２、アクティビティの不確定要素１０２、及び好みの不確定要素１０２から第一ファクタを選択し、以て選択された第一ファクタ１０４を特定するようになし、
前記ターゲットプロファイルの選択された第一ファクタ１０４のアレイを形成し、
前記アレイにおける選択された各第一ファクタのターゲットテンプレート１０６を設定し、
前記アレイの少なくとも一つの選択された第一ファクタの少なくとも一つのターゲットテンプレートにより前記アレイをフィルタリングし、以てフィルタリングされたアレイを形成するようになし、
前記フィルタリングされたアレイ内のターゲット格付けに対応するギフトオプションを特定することを特徴とする、
請求項１に記載のギフトの推奨、監視、選択及び配送を行うための方法。
【請求項３】
ギフト選択メニュー１００を提示する前記ステップは、
前記贈呈者に対応する前記ターゲットプロファイルのイベントの不確定要素、ロジスティックの不確定要素、身元の不確定要素、アクティビティの不確定要素、及び好みの不確定要素から第二ファクタを選択し、以て選択された第二ファクタ１１４を特定するようになし、
選択された各第二ファクタのプリセットテンプレート１１６を設定し、
選択された第二ファクタに従って前記フィルタリングされたアレイを修正し、以て前記ギフトオプションを特定するステップの前に二重にフィルタリングされたアレイを形成するようになし、該ギフトオプションは当該二重にフィルタリングされたアレイにおけるターゲット格付けに対応することを特徴とする、
請求項２に記載のギフトの推奨、監視、選択及び配送を行うための方法。
【請求項４】
ギフト選択メニュー１００を提示する前記ステップは、
前記受取人に対応する前記ターゲットサブプロファイルのイベントの不確定要素、ロジスティックの不確定要素、身元の不確定要素、アクティビティの不確定要素、及び好みの不確定要素から第一ファクタを選択し、以て追加の選択された第一ファクタ１０８を特定するようになし、
追加の選択された各第一ファクタの追加のターゲットテンプレート１２０を設定し、
追加の選択された第一ファクタに従って前記二重にフィルタリングされたアレイを修正し、以て前記ギフトオプションを特定するステップの前に三重にフィルタリングされたアレイを形成するようになし、該ギフトオプションは当該三重にフィルタリングされたアレイにおけるターゲット格付けに対応することを特徴とする、
請求項３に記載のギフトの推奨、監視、選択及び配送を行うための方法。
【請求項５】
ギフト選択メニュー１００を提示する前記ステップは、
前記受取人に対応する前記ターゲットサブプロファイルのイベントの不確定要素、ロジスティックの不確定要素、身元の不確定要素、アクティビティの不確定要素、及び好みの不確定要素から追加の第二ファクタを選択し、以て追加の選択された第二ファクタ１１８を特定するようになし、
追加の選択された各第二ファクタの追加のプリセットテンプレート１２２を設定し、
追加の選択された第二ファクタに従って前記三重にフィルタリングされたアレイを修正し、以て前記ギフトオプションを特定するステップの前に四重にフィルタリングされたアレイを形成するようになし、該ギフトオプションは当該四重にフィルタリングされたアレイにおけるターゲット格付けに対応することを特徴とする、
請求項４に記載のギフトの推奨、監視、選択及び配送を行うための方法。
【請求項６】
更に、前記ターゲットテンプレートを修正するステップと、
該ターゲットテンプレートを修正するステップの後に、ギフト選択メニューを提示するステップを繰り返すステップとを備え、
該ターゲットテンプレートを修正するステップは、それぞれの選択された第一ファクタに対応する更新された情報に基づくことを特徴とする、
請求項２に記載のギフトを推薦し、監視し、選択し、配送するための方法。
【請求項７】
更に、異なる第一ファクタを選択することにより前記アレイを修正するステップと、
該アレイを修正するステップの後、ギフト選択メニューを提示するステップを繰り返すステップとを備え、
該アレイを修正するステップは、それぞれの選択された第一ファクタに対応する更新された情報に基づくことを特徴とする、
請求項２に記載のギフトの推奨、監視、選択及び配送を行うための方法。
【請求項８】
更に、前記ターゲットテンプレートと、前記プリセットテンプレートと、前記追加のターゲットテンプレートと、前記追加のプリセットテンプレートとのうちの少なくとも一つを修正するステップと、
前記ターゲットテンプレートと、前記プリセットテンプレートと、前記追加のターゲットテンプレートと、前記追加のプリセットテンプレートとのうちの前記少なくとも一つを修正するステップの後、ギフト選択メニューを提示するステップを繰り返すステップとを備え、
前記ターゲットテンプレートと、前記プリセットテンプレートと、前記追加のターゲッ
トテンプレートと、前記追加のプリセットテンプレートとのうちの少なくとも一つを修正するステップは、前記ターゲットテンプレートのそれぞれの選択された第一ファクタと、それぞれの選択された第二ファクタと、それぞれの追加の選択された第一ファクタと、それぞれの追加の選択された第二ファクタとに対応する更新された情報に基づくことを特徴とする、
請求項５に記載のギフトの推奨、監視、選択及び配送を行うための方法。
【請求項９】
更に、異なる第一ファクタを選択することにより前記アレイを修正するステップと、
該アレイを修正するステップの後、ギフト選択メニューを提示するステップを繰り返すステップとを備え、
該アレイを修正するステップは、前記ターゲットテンプレートのそれぞれの選択された第一ファクタと、それぞれの選択された第二ファクタと、それぞれの追加の選択された第一ファクタと、それぞれの追加の選択された第二ファクタとに対応する更新された情報に基づくことを特徴とする、
請求項５に記載のギフトの推奨、監視、選択及び配送を行うための方法。
【請求項１０】
ギフト選択メニューを提示する前記ステップは、
前記受取人に対応する前記ターゲットサブプロファイルのイベントの不確定要素、ロジスティックの不確定要素、身元の不確定要素、アクティビティの不確定要素、及び好みの不確定要素から追加の第一ファクタを選択し、以て追加の選択された第一ファクタを特定するようになし、
前記ターゲットサブプロファイルの前記追加の選択された第一ファクタの追加のアレイを形成し、
前記追加のアレイにおける追加の選択された各第一ファクタの追加のターゲットテンプレートを設定し、
前記アレイの少なくとも一つの追加の選択された第一ファクタの少なくとも一つの追加のターゲットテンプレートにより前記追加のアレイをフィルタリングし、以て追加のフィルタリングされたアレイを形成するようになし、
前記追加のフィルタリングされたアレイにおけるターゲット格付けに対応する前記ギフトオプションを特定することを特徴とする、
請求項１に記載のギフトの推奨、監視、選択及び配送を行うための方法。
【請求項１１】
ギフト選択メニューを提示する前記ステップは、
前記受取人に対応する前記ターゲットサブプロファイルのイベントの不確定要素、ロジスティックの不確定要素、身元の不確定要素、アクティビティの不確定要素、及び好みの不確定要素から追加の第二ファクタを選択し、以て追加の選択された第二ファクタを特定するようになし、
追加の選択された各第二ファクタの追加のプリセットテンプレートを設定し、
前記ギフトオプションを特定するステップの前に二重にフィルタリングされたアレイを形成するように、追加の選択された第二ファクタに従って前記フィルタリングされたアレイを修正し、該ギフトオプションは、当該二重にフィルタリングされたアレイにおけるターゲット格付けに対応することを特徴とする、
請求項１０に記載のギフトの推奨、監視、選択及び配送を行うための方法。
【請求項１２】
更に、前記追加のターゲットテンプレートを修正するステップと、
当該追加のターゲットテンプレートを修正するステップの後、ギフト選択メニューを提示するステップを繰り返すステップとを含むことを特徴とする、
請求項１０に記載のギフトの推奨、監視、選択及び配送を行うための方法。
【請求項１３】
前記追加のターゲットテンプレートを修正するステップは、
それぞれの追加の選択された第一ファクタに対応する更新された情報に基づくことを特徴とする、
請求項１２に記載のギフトの推奨、監視、選択及び配送を行うための方法。
【請求項１４】
更に、前記トランザクションプロファイルを有する前記贈呈者により前記選択されたギフトオプションを購入するステップと、
前記選択されたギフトオプションに対応する選択された販売者に連絡するステップと、
前記選択された販売者から前記受取人への前記選択されたギフトオプションに対応するギフトの配送を確認するステップとを含むことを特徴とする、
請求項１に記載のギフトの推奨、監視、選択及び配送を行うための方法。
【請求項１５】
イベントの不確定要素は、休日の日付と、イベントの日付と、ギフトの日付とを含み、
ロジスティックの不確定要素は、地理的場所と、販売者の近さと、販売者の協力と、郵便住所と、衛星測位システムのデータとを含み、
身元の不確定要素は、社会経済的プロファイルと、伝記的情報と、文化的アイデンティティと、宗教と、国籍と、居住地と、購買行動と、習慣と、エチケットと、贈呈者との関係と、収入のレベルと、ソーシャルネットワークアカウントと、オンライン活動とを含み、
アクティビティの不確定要素は、互恵的行動と、購買行動と、ギフト歴とを含み、
好みの不確定要素は、ギフト適格と、金額的範囲と、ギフトタイプ、アラートアクティベーションとを含むことを特徴とする、
請求項１に記載のギフトの推奨、監視、選択及び配送を行うための方法。
【請求項１６】
前記応答を格納するステップは、更に、
前記受取人に対し前記ターゲットサブプロファイルを完成させるよう依頼し、
前記受取人に対し該受取人用の別のトランザクションプロファイルを完成させるよう依頼し、該受取人が別の贈呈者であるときには前記ターゲットサブプロファイルは別のターゲットプロファイルであることを特徴とする、
請求項１に記載のギフトの推奨、監視、選択及び配送を行うための方法。
【請求項１７】
前記選択されたギフトオプションが複雑なギフトアイテムであるときには、当該複雑なギフトアイテムはギフトと付加的なギフト要件とを備え、前記応答を格納するステップは、
選択されたギフトオプションの受諾を確認し、
贈呈者に対し前記受諾を確認し、更に、
前記付加的なギフト要件を完成させることを特徴とする、
請求項１に記載のギフトの推奨、監視、選択及び配送を行うための方法。
【請求項１８】
前記複雑なギフトアイテムはグループギフトであり、前記付加的なギフト要件は、複数の贈呈者とそれぞれのトランザクションプロファイルとそれぞれのターゲットプロファイルとであることを特徴とする、
請求項１７に記載のギフトの推奨、監視、選択及び配送を行うための方法。
【請求項１９】
プロセッサ２４と、
該プロセッサに関連するメモリ保存装置２６とを備え、
該プロセッサは、
データネットワーク１６、１８にトランザクションプロファイルを維持し、該トランザクションプロファイルは贈呈者の個人情報と受取人のリストとを有し、該トランザクションプロファイルを保護し、
前記データネットワークにターゲットプロファイルを維持し、該ターゲットプロファイルは前記贈呈者に関する情報を有し、該ターゲットプロファイルは前記贈呈者に関するイベ
ントの不確定要素、ロジスティックの不確定要素、身元の不確定要素、アクティビティの不確定要素、及び好みの不確定要素を備え、
複数のターゲットサブプロファイルを形成し、前記受取人のリストの各受取人は一つのターゲットサブプロファイルと関連し、各ターゲットサブプロファイルは各受取人に関するイベントの不確定要素、ロジスティックの不確定要素、身元の不確定要素、アクティビティの不確定要素、及び好みの不確定要素を備え、
複数のギフトオプションを有するギフト選択メニューを提示し、各ギフトオプションはターゲット格付けを有し、該ギフト選択メニューの該ギフトオプションは設定された範囲のターゲット格付けを有し、該ターゲット格付けは前記ターゲットプロファイルと前記ターゲットサブプロファイルとに基き、
前記ギフト選択メニューにおける前記複数のギフトオプションから一つの選択されたギフトオプションを前記贈呈者に選定させ、
前記選択されたギフトオプションの通知を、前記受取人の前記ターゲットサブプロファイルに従って、前記受取人に送信し、
前記選択されたギフトオプションの前記通知に対する前記受取人の応答を前記ターゲットプロファイルと前記ターゲットサブプロファイルとに格納し、該応答は該ターゲットプロファイルと該ターゲットサブプロファイルとにおけるギフト履歴の不確定要素であることを特徴とする、
ギフトの推奨、監視、選択及び配送を行うためのシステム１０。
【請求項２０】
コンピュータ可読プログラムを有するコンピュータ使用可能媒体を備え、
該コンピュータ可読プログラムは、プロセッサ２４と該プロセッサに関連するメモリ保存装置２６とを備えたコンピュータ１２上で実行され、
前記プロセッサは、
データネットワークにトランザクションプロファイルを維持し、該トランザクションプロファイルは贈呈者の個人情報と受取人のリストとを有し、該トランザクションプロファイルを保護し、
前記データネットワークにターゲットプロファイルを維持し、該ターゲットプロファイルは前記贈呈者に関する情報を有し、該ターゲットプロファイルは前記贈呈者に関するイベントの不確定要素、ロジスティックの不確定要素、身元の不確定要素、アクティビティの不確定要素、及び好みの不確定要素を備え、
数のターゲットサブプロファイルを形成し、前記受取人のリストの各受取人は一つのターゲットサブプロファイルと関連し、各ターゲットサブプロファイルは各受取人に関するイベントの不確定要素、ロジスティックの不確定要素、身元の不確定要素、アクティビティの不確定要素、及び好みの不確定要素を備え、
複数のギフトオプションを有するギフト選択メニューを提示し、各ギフトオプションはターゲット格付けを有し、該ギフト選択メニューの該ギフトオプションは設定された範囲のターゲット格付けを有し、該ターゲット格付けは前記ターゲットプロファイルと前記ターゲットサブプロファイルとに基き、
前記ギフト選択メニューにおける前記複数のギフトオプションから一つの選択されたギフトオプションを前記贈呈者に選定させ、
前記選択されたギフトオプションの通知を、前記受取人の前記ターゲットサブプロファイルに従って、前記受取人に送信し、
前記選択されたギフトオプションの前記通知に対する前記受取人の応答を前記ターゲットプロファイルと前記ターゲットサブプロファイルとに格納し、該応答は該ターゲットプロファイルと該ターゲットサブプロファイルとにおけるギフト履歴の不確定要素であることを特徴とする、
コンピュータプログラム製品。
【発明の詳細な説明】
【技術分野】
【０００１】
本発明は、ルールベースのギフト贈呈ビジネスの方法及びシステムに関するものである。特に、本発明は、受取人のためのギフトパラメーターに基くギフトの推奨、更新のためのギフトパラメーターの監視、ギフトオプションの選択、ギフトオプションに従ったギフトの購入、及びギフトオプションに対応するギフトの受取人への配送に関するものである。更に、本発明は、テンプレートによりフィルタリングされた選択されたファクタのアレイにより特定される推奨ギフトオプションにより作られるギフト選択メニューから選択されるギフトの配送に係るものである。
【背景技術】
【０００２】
現代の消費者は、アクセスのしやすさと迅速な実現可能性とを求めており、オンラインデジタル技術はこのような消費者に対応することができる。一つの結果は、情報の過多であり、瞬時の情報が多すぎ、選別し検討すべき選択肢が多すぎるのである。最も適切な関連情報を得るためにオンライン情報源をフィルタリングすることは、深刻な負担であり、しばしば手のつけようもない大仕事となる。例えば自動車、金融商品のギフト、不動産のように、購入時に贈呈者が顔を出さなければならず、オンラインでは購入することができないギフトもある。
【０００３】
贈呈の過程では常に時間と努力と金銭とが必要になる。オンラインで見て回れば、ギフトを求めてショッピングすることに関し物理的な歩行と旅行を減らすことはできるものの、無限のウエブページとリンクを探す負担は最善のギフトを見つけることに新たな複雑さを加えることになる。実店舗までドライブし、小売店に入って商品を見て回る代わりに、消費者はウェブブラウザを開き、多数のサイトを見て回り、多数のスクリーンをクリックし、購入するために繰り返しデータに入るのである。ギフトを受取人に配送するために、消費者は更なるスクリーンをクリックし、配送先住所を見つけなければならない。ギフトの購入に係る手仕事に加え、心理的かつ精神的な作業がある。贈呈者は、特定のイベント、受取人及びギフトの好みについて時間をかけて考えなければならない。例えば、贈呈者は、ギフトに対する受取人の好み、受取人の必要性、及びギフトを実際に使う受取人の反応を考慮するかも知れない。また、贈呈者は、ギフトと該ギフトの金銭的価値を決定する上でエチケットと社会通念を考慮することを決めた場合には、特定のイベントに関するエチケットと社会通念を調査するために時間を費やすかも知れない。
【０００４】
ギフトの贈呈はすでにオンラインの世界に入っており、オンラインによる贈呈の分野における種々の特許及び特許公開公報を入手することができる。例えば２００９年９月１７日公開、シドルクの米国特許公開第２００９/０２３４７５５号の如く、ソーシャルメディアネットワークを介して、販売者、ユーザー及びトランザクションのプロファイルを備えた基本的なウエブベースの贈呈がすでに開示されている。ギフトカードの電子的処理及び送付のためのシステム及び方法はウエブサイトを介して入手可能である。個人的な買い物客もデジタル空間に入り、個々の好みに応じて購入すべき商品を提案している。個人用整理手帳とカレンダーソフトウェアプログラムは、カレンダーリマインダーを実際のギフトの購入に結びつける近道を創り出した。
【０００５】
２０１５年５月７日公開、ヤンバ等の米国特許公開第２０１５/１２７４８１１号は、ギフトの調達を含む、ユーザーと該ユーザーと関連する人との相互関係を容易ならしめるための方法及びシステムを開示している。ユーザーと人のプロファイルが作成される。人のプロファイルは、関係、年齢、性別等の特定の不確定要素を含む。ユーザーのプロファイルは、各人のためにユーザーに提示されるギフト選択のための好みを設定する。一般的なルールベースのギフト贈呈プロセスが開示されている。
【０００６】
２０１３年４月１８日公開、カトラーの米国特許公開第２０１３/００９７０４４号は、グリーティングカードを配送する方法及びシステムを開示している。カレンダーのプッシュ通知の設定基準を有するプロファイルとして、同じユーザーと人が入力される。設定には、イベントの当日にカードが届くようにリマインダーを含めることができ、カードを個人用とし、又は該カードに自動テキストを挿入することができる。
【０００７】
２０１３年３月２１日公開、ガレン等の米国特許公開第２０１３/００７３４３０号は、別のギフト贈呈システム及び方法を開示している。ソーシャルメディアの組み込みと、人又は連絡先のソーシャルメディアプロファイルとの統合が開示されている。ギフトの基準は、各人または接触者とユーザーとの関係の識別、及び贈呈されるギフトのパラメータのである。ギフトのための支援された販売者が開示されている。
【０００８】
ルールベースのギフト贈呈の方法及びシステムの種々のバージョンは、種々の特徴を有する。
【０００９】
２０１２年９月６日公開、ウーラー等の米国特許公開第２０１２/０２２６５８８号は、例えばクリスマス用にすべてのギフトを送る場合の如く、一度に多数のギフトと多数の受取人とが関係するという特徴を備えた別のソーシャルメディアベースのギフト贈呈のシステム及び方法を開示している。ギフトの配送は、実店舗で使用されるバーコードを受取人に送るという変形例を含む。
【００１０】
２０１０年１月２８日公開、レッドベター等の米国特許公開第２０１０/００２３３４１号は、自動配送を伴う別のルールベースのギフト贈呈方法を開示している。受取人プロファイルはソーシャルネットワークサイトから収集される。ギフトパラメーターは、カレンダーの日付、ユーザーとの関係及びギフトの金額的範囲を含む。受取人のグループにはデフォルト設定がある。
【００１１】
２００２年１１月２８日公開、オウ・ツールの米国特許公開第２００２/０１７８０７８号は、事業主から受取人としての顧客に贈呈するビジネスギフトのための贈呈者によるクレジットカード支払いをリンクする。顧客は、例えば記念日のための医院からのリマインダーの如く、事業所からリマインダーとプレゼントを受け取る。顧客は異なるステータスを持っているため、優先顧客はより高価なギフトを受け取る。
【発明の概要】
【発明が解決しようとする課題】
【００１２】
本発明の目的は、デバイス、オペレーティングシステム、ウェブブラウザ又は他のデジタルプラットフォームを用いてギフトの贈呈を行うための改良された方法を提供することにある。
【００１３】
本発明の目的は、デジタル手段、電子手段、オンライン手段又は他のデータ接続手段を介してギフトの贈呈を行う安全な方法を提供することにある。
【００１４】
本発明の目的は、時間効率と費用効率をもってギフトの贈呈を行う方法を提供することにある。
【００１５】
本発明の目的は、ギフトの推奨、監視、選択、購入及び配送を行うための方法を提供することにある。
【００１６】
本発明の別の目的は、贈呈者のターゲットプロファイルのフィルタリングされたアレイを用いたターゲット格付けに対応する推奨ギフトオプションにより形成されるギフト選択メニューを提示することにある。
【００１７】
本発明の更に別の目的は、選択されたファクタのフィルタリングされたアレイにおけるターゲット格付けに対応する推奨ギフトオプションを特定する方法を提供することにある。
【００１８】
本発明の更に別の目的は、選択されたファクタ及びターゲットテンプレートのフィルタリングされたアレイにおけるターゲット格付けに対応する推奨ギフトオプションを特定する方法を提供することにある。
【００１９】
本発明の更に別の目的は、贈呈者の選択された第二ファクタにより修正された二重にフィルタリングされたアレイにおけるターゲット格付けに対応する推奨ギフトオプションを特定する方法を提供することにある。
【００２０】
本発明の更に別の目的は、第二ファクタのプリセットテンプレートにより修正された二重にフィルタリングされたアレイにおけるターゲット格付けに対応する推奨ギフトオプションを特定する方法を提供することにある。
【００２１】
本発明の更に別の目的は、贈呈者及び受取人に関連する三重にフィルタリングされたアレイにおけるターゲット格付けに対応する推奨ギフトオプションを特定する方法を提供することにある。
【００２２】
本発明の更に別の目的は、受取人に関連する追加の選択された第一ファクタの三重にフィルタリングされたアレイにおけるターゲット格付けに対応する推奨ギフトオプションを特定する方法を提供することにある。
【００２３】
本発明の更に別の目的は、追加の選択された第一ファクタ及びそれぞれの追加のターゲットテンプレートの三重にフィルタリングされたアレイにおけるターゲット格付けに対応する推奨ギフトオプションを特定する方法を提供することにある。
【００２４】
本発明の更に別の目的は、受取人の追加の選択された第二ファクタにより修正された四重にフィルタリングされたアレイにおけるターゲット格付けに対応する推奨ギフトオプションを特定する方法を提供することにある。
【００２５】
本発明の更に別の目的は、追加の選択された第二ファクタの追加のプリセットテンプレートにより修正された四重にフィルタリングされたアレイにおけるターゲット格付けに対応する推奨ギフトオプションを特定する方法を提供することにある。
【００２６】
本発明の目的は、アクティブラーニングと更新を備えたギフトの推奨、監視、選択、購入及び配送を行うための方法を提供することにある。
【００２７】
本発明の別の目的は、ターゲットテンプレート、プリセットテンプレート、追加のターゲットテンプレート及び追加のプリセットテンプレートのうちの少なくとも一つの修正に基くフィルタリングされたアレイにおけるターゲット格付けに対応する推奨ギフトオプションを特定する方法を提供することにある。
【００２８】
本発明の別の目的は、フィルタリングされたアレイの選択された第一ファクタの修正に基くフィルタリングされたアレイにおけるターゲット格付けに対応する推奨ギフトオプションを特定する方法を提供することにある。
【００２９】
本発明の目的は、贈呈者による贈呈及び受取人による再贈呈の方法を提供することにある。
【００３０】
本発明の別の目的は、二人以上の贈呈者による贈呈及び受取人による統合の方法を提供することにある。
【００３１】
本発明の目的は、贈呈者による支払いの他に追加の要件があるギフトのような複雑なギフトオプションを贈呈する方法を提供することにある。
【００３２】
本発明の別の目的は、名義付きギフト、譲渡証書付きギフト、保険付きギフト、グループギフト及び第三者ギフトを含む複雑なギフトオプションを贈呈する方法を提供することにある。
【００３３】
本発明の目的は、贈呈者と受取人との間でシステムを介して又は異なるプラットフォーム上で、贈呈し、通信を開く方法を提供することにある。
【００３４】
本発明の上記その他の目的と利点は、添付の明細書を読めば明らかになる。
【課題を解決するための手段】
【００３５】
本発明の実施例は、ギフトの推奨、監視、選択及び配送を行うための方法及びシステムを含む。ギフトの贈呈は、特別な人の意味を持つ認識からエチケットにより要求されるしるしを示すという軽い義務感まで及ぶ社会からの期待である。オンラインで入手可能な広大な範囲のギフトを加えれば、ギフトを贈呈するというプロセスはもはや店への単純な旅ではない。本発明は、特定のイベント及び受取人のためのギフトオプションを推奨する方法を提供することにより贈呈プロセスを改良する。従来のカレンダーとリマインダーのシステムを超えて、本方法は、更に、実際のギフトを選択すること、及び該ギフトを受取人に配送することを含む。
【００３６】
本発明のシステム及び方法は、贈呈者のためのトランザクションプロファイルとターゲットプロファイルとをデータネットワークに維持することを含む。該トランザクションプロファイルは、贈呈者の個人情報と受取人のリストとを有する。該トランザクションプロファイルは、身元情報、安全情報、言語選択、及び支払情報を含む。該トランザクションプロファイルは、手動で入力した情報又はソーシャルネットワークアカウントを含む同期されリンクされたアカウントから集められた情報を追加することができる。該トランザクションプロファイルは、贈呈者の送金同意を与えられたシステムのアクティブユーザー向けのものである。安全情報は、身元を確認するためのパスワード又は他のバイオメトリックデータ（声、網膜等）である。受取人のリストは、手動で入力し、又は、例えば異なるプログラムの携帯機器の連絡先リスト若しくはソーシャルネットワークアカウントの関連プロファイル等の他のサードパーティソースから集める。受取人のリストは、贈呈者又はシステムにより、システムとの適合性のために、更新し、提案し、定期的に検討することができる。
【００３７】
ターゲットプロファイルは、イベントの不確定要素、ロジスティックの不確定要素、身元の不確定要素、トラッキングの不確定要素、及び好みの不確定要素よりなる。これらの不確定要素には、贈呈者が手動で入力した情報、オンラインで収集された情報、ソーシャルネットワークアカウントから同期された情報、又はデータ分析を介してシステムにより得られた情報が含まれる。データは、例えばＧＰＳの位置のように収集することができるが、データにはソーシャルメディサイトに投稿した時刻等のメタデータ、及び文字数字情報を超えたデータが含まれる。ターゲットプロファイルは贈呈者に対応する。例えば、イベントの不確定要素は、贈呈者がギフトを受取人に送ることを欲する日であり、ロジスティックの不確定要素は贈呈者のＧＰＳの位置であり、身元の不確定要素は贈呈者についての個人データであり、アクティビティの不確定要素は贈呈者のギフト履歴であり、好みの不確定要素は使用すべき金額の範囲及び贈呈者がギフトを送ることを欲するか否かのギフト適格である。トランザクションプロファイル及びターゲットプロファイルを維持するステップは、欠損している不確定要素を発見してそれぞれのプロファイルを完成させることと、トランザクションプロファイルとターゲットプロファイルの一定レベルの完成を設定することとを含む。トランザクションプロファイルとターゲットプロファイルとを維持するためには、情報の最低レベルがあり得る。
【００３８】
本発明は、複数のターゲットサブプロファイルを形成するステップを含む。受取人のリストにおける各受取人はターゲットサブプロファイルと関連している。各ターゲットサブプロファイルは、イベントの不確定要素、ロジスティックの不確定要素、身元の不確定要素、アクティビティの不確定要素、及び好みの不確定要素よりなる。ターゲットサブプロファイルは、贈呈者ではなく、各受取人について完成される。ヌル値及びターゲットプロファイルから欠損している情報があるかも知れないが、同じタイプの不確定要素はターゲットプロファイルとターゲットサブプロファイルとの両方を含む。受取人のターゲットサブプロファイルを維持するための情報の最低レベルがあり得るが、そのレベルは贈呈者のトランザクションプロファイルとターゲットプロファイルのレベルよりもはるかに低くてよい。他の実施例は、受取人が支払情報を備えた対応トランザクションプロファイルを作るように該受取人がシステムの積極的な参加者になることを含む。これらの実施例においては、該受取人が異なる贈呈動作における別の贈呈者になるときには、ターゲットサブプロファイルは対応するターゲットプロファイルに変わる。
【００３９】
アラートを贈呈者に送信することは、方法の実施例の別のステップである。アラートは、例えばターゲットプロファイルにおけるイベントの不確定要素、好みの不確定要素等に基くリマインダーの如く、贈呈者のターゲットプロファイルに基く。
【００４０】
本発明のシステム及び方法の実施例は、ギフト選択メニューをデータ、デジタル又は電子プラットフォーム上に提示することを含むが、これらのものは、オペレーティングシステム、ウエブブラウザ、モバイルデバイス、コンピュータ端末、ゲーム機、「スマートデバイス」、及びデータ、無線、信号その他の接続を備えた他のデバイスを含むが、これらには限定されない。ギフト選択メニューは複数の推奨ギフトオプションを備えている。各推奨ギフトオプションはターゲット格付けを有し、ギフト選択メニューの推奨ギフトオプションはギフト選択メニューに入るために所定範囲のターゲット格付けを有する。一部の実施例においては、ギフト選択メニューは３〜６個のオプションでスタートし得るが、該メニューはターゲット格付けの範囲を増加し、追加のギフトオプションを示すように調節することができる。
【００４１】
前記メニューを提示するステップは、ターゲットプロファイル又はサブプロファイル（それぞれ贈呈者であるか受取人であるかによる）から第一ファクタを選択し、選択された第一ファクタを備えたアレイ又はサブアレイを形成し、選択された各第一ファクタのターゲットテンプレート又はプリセットテンプレートを設定し、該ターゲットテンプレートを備えたアレイ又は該プリセットテンプレートを備えたサブアレイをフィルタリングし、以てフィルタリングされたアレイ又はフィルタリングされたサブアレイを形成するようになし、更に、該ギフト選択メニューのターゲット格付けに対応するギフトオプションを特定することを含む。贈呈者の観点における一部の実施例においては、アレイは、選択された第二ファクタを含み、プリセットテンプレートに対応する二重にフィルタリングされたアレイである。別の実施例においては、アレイは、受取人の選択された第一ファクタを含む三重にフィルタリングされたアレイである。更に別の実施例においては、アレイは、受取人の選択された第二ファクタを含む四重にフィルタリングされたアレイである。ギフト選択メニューを作るギフトオプションは、本発明のアレイのレベルにより設定されたターゲット格付けに適合する。受取人の観点からの実施例においては、これら実施例のバージョンは、贈呈者のアレイに代えてサブアレイを含む。
【００４２】
実施例は、機械学習の特徴を備えたダイナミックな方法及びシステムを含む。ターゲットテンプレートは対応する選択された第一ファクタに関する更新された情報に従って修正することができる。同様に、各レベルにおいて、ターゲットテンプレート、プリセットテンプレート、受取人の追加のターゲットテンプレート、及び受取人の追加のプリセットテンプレートは、贈呈者と受取人との両方の第一、第二ファクタの監視に従って修正することができる。アレイ自体も、異なる第一ファクタを選択することにより、修正することができる。第一ファクタの異なる選択は、贈呈者と受取人との両方の第一、第二ファクタの監視に関する更新された情報に従って行うことができる。別の実施例においては、ギフト選択メニューの提示は、贈呈者ではなく、受取人の選択された第一ファクタにより形成されたサブアレイでスタートすることができる。したがって、受取人のサブアレイは、贈呈者のアレイと同様に修正することができる。更に、更新された情報は、フィルタリングの如何なるレベルにおいてもサブアレイのテンプレートの修正に用いることができる。
【００４３】
本発明は、更に、ギフト選択メニューから選択されたギフトオプションを選定すること、及び、選択されたギフトオプションの通知を受取人に送信することを含む。選定ステップは、トランズアクション識別子を作成すること、ギフトの金額の範囲を確認すること、更には、選択されたギフトオプションを贈呈者のターゲットプロファイルのギフト履歴と、受取人のターゲットサブプロファイルとにアクティビティの不確定要素として記録することとを含む。通知は、ターゲットサブプロファイルに従って受取人に送られる。該通知は、ターゲットサブプロファイルの居住地の身元の不確定要素に従い、サーバから受取人のスマートフォン若しくは電子メールアカウント又は郵送先住所に送られる。
【００４４】
本発明のシステム及び方法の実施例は、受取人の応答をコンピュータネットワークに格納することを含む。応答を格納するステップは、受取人からの応答を受けることを含む。応答は受諾又は拒否である。ギフトオプションの受諾は、受取人による再贈呈のためのギフトオプションの受諾を含む。これらの実施例においては、受取人は、システムにおける贈呈者として動作するために対応トランザクションプロファイルを作ることができる。ターゲットサブプロファイルは別のターゲットプロファイルに変換されるが、このことは二つ以上のターゲットサブプロファイルを単一の対応ターゲットプロファイルに結合することを含む。受取人が第一の贈呈者からの第一のターゲットサブプロファイルと第二の贈呈者からの第二のターゲットサブプロファイルとを有している場合には、該受取人のターゲットプロファイルは第一のターゲットサブプロファイルと第二のターゲットサブプロファイルとからの情報を結合する。ギフトオプションの受諾は、複数の贈呈者からの又は複数のイベントからのギフトオプションを統合することをも含む。ギフトオプションの拒否は、ギフトが購入されず、贈呈者が代金の請求を受けないように、贈呈者に通知することを含む。
【００４５】
システムは、サーバのデータネットワーク、ウエブサイト、ウエブブラウザ、データ接続、コンピュータ端末とスマートフォン等のデバイスであり、これらのものはトランザクションプロファイル、ターゲットプロファイル及びターゲットサブプロファイルのデータネットワークを支える。サーバは、プロセッサ、通信インタフェース、並びにプロファイル、データ、テンプレート、アレイ及びサブプロファイルを格納するメモリを含む。プロセッサは、本発明の方法のソフトウエア、アプリケーション及びデータベースを支える。該デバイスは贈呈者と各受取人とに対応し、それぞれのトランザクションプロファイル、ターゲットプロファイル及びターゲットサブプロファイルは、コンピュータ又はスマートフォン等の互換装置から管理することができる。本発明の実施例は、メッセージを伝えること、及びシステム又はシステムの外部を介して贈呈者と受取人とを結ぶリンクを含む。また、本発明は、コンピュータ可読プログラムを有するコンピュータ使用可能媒体より構成されるコンピュータプログラム製品を含む。
【００４６】
方法の更なる実施例は、複雑なギフトオプションの追加のステップを含む。本発明のシステム及び方法は、追加の要件があるギフトを取り扱う。複雑なギフトオプションは名義付き車両、名義付き資産及び金融口座を含む。また、複雑なギフトオプションは、例えば慈善寄付、授業料支払等のグループギフト及び第三者ギフトを含む。
【図面の簡単な説明】
【００４７】
【図１】図１は、データネットワークに関する本発明のシステムの実施例を示すフロー図の概略図であって、コンピュータ端末とスマートフォンとを含む装置を示す。
【図２】図２は、ブロック図の概略図であって、本発明の実施例のギフトの推奨、監視、選択及び配送を行うための方法を示す。
【図３】図３は、本発明におけるギフト選択メニューを提示するステップの概略説明図であり、ギフト選択メニューは、選択された第一ファクタのフィルタリングされたアレイ内の目標格付に対応するギフトオプションの特定に基く。
【図４】図４は、本発明におけるギフト選択メニューを提示するステップの概略説明図であって、該ギフト選択メニューは、選択された第一ファクタと、選択された第二ファクタと、追加の選択された第一ファクタと、追加の選択された第二ファクタとのフィルタリングされた四重のアレイ内の目標格付に対応するギフトオプションの特定に基く。
【図５】図５は、本発明による贈呈者と受取人との間の全体的な関係を示す概略図である。
【発明を実施するための形態】
【００４８】
図１〜図５において、本発明の実施例は、ギフトの推奨、監視、選択及び配送を行うための方法及びシステムを含む。ギフトを贈呈するためには、旅行と運転を含む買い物に要する時間、商店を訪れて受取人のことを思い描きながら商品を見て回る努力、及び商品を購入するための金銭が常に必要となる。オンラインリソースとデジタル時代は、買い物とギフトの贈呈の身体的活動を排除することにより、時間と労力を物理的に減少させるように思われた。しかしながら、情報過多という新たな問題が生じた。例えば、クリックして閲覧するウエブサイトが非常に多いため、所要時間が長くなると共に、考慮すべきオプションが非常に多いため、努力量も増加する。 物理的な要求が減ることがあるとしても、消費者は、受取人と該受取人のギフトの好みを考慮することに費やされる時間と精神的エネルギーに加えて、膨大な量の情報をフィルタリングするという精神的に疲れる作業に直面する。しかも、その情報の多くはギフトの決定には役に立たないものである。
【００４９】
本発明のシステム及び方法は、トランザクションプロファイルと、ターゲットプロファイルと、ターゲットサブプロファイルとをデータネットワークに維持することを含む。図１は、システム１０の実施例の概略図を示す。システム１０は、プロセッサと、通信インタフェースと、プロファイル及びサブプロファイルを記憶するためのメモリと、各々のプロファイルに対応する複数のデバイス１４とを有する少なくとも一つのサーバ１２を備えている。贈呈者は、トランザクションプロファイルとターゲットプロファイルとを有する。受取人は、ターゲットサブプロファイルのみから始めることができる。ターゲットプロファイルとターゲットサブプロファイルとの不確定要素は同一にすることが可能であるため、ターゲットサブプロファイルのみを持つ受取人を贈呈者に変えることができる。ターゲットサブプロファイルはターゲットプロファイルになることができ、受取人はトランザクションプロファイルを完成させることができるため、受取人はシステム１０に完全に参加することができる。いかなるデバイス１４も、データネットワーク１６又は無線ネットワーク１８に接続するように構成され、該無線ネットワーク１８は該コンピュータネットワーク１６に接続され、贈呈者又は受取人は該デバイス１４を用いて対応するプロファイルにアクセスすることができる。本発明は、コンピュータネットワーク１６、移動通信ネットワーク又は他のデータネットワークを含む。
【００５０】
図1は、コンピュータ端末２０及び一種の高性能デバイスであるスマートフォン２２としてのデバイス１４を示す。ゲーム機もシステム１０内のデバイス１４であってもよい。サーバ１２は、ターゲットプロファイル、ターゲットサブプロファイル及び贈呈者と受取人とからのプロセスデータをデバイス１４を用いて維持するために、プロセッサ２４とメモリ保存装置２６とを備える。コンピュータ端末２０、スマートフォン２２その他のデバイスは、贈呈者と受取人とがそれぞれのプロファイルとサブプロファイルとにアクセスするためのユーザインタフェースとすることができる。贈呈者は、該贈呈者のデバイス１４上のトランザクションプロファイルとターゲットプロファイルとにデータを入力することができるが、該デバイス１４はスマートフォン２２であってもよい。贈呈者の二つのプロファイルは、手動又は自動で完了することができる。ソーシャルネットワークアカウント、電話番号、電子メールアドレス又は郵便番号等の贈呈者からの部分的な情報は、トランザクションプロファイル及びターゲットプロファイルの他の不確定要素を完全なものにするために使用することができる。同様に、各受取人のターゲットサブプロファイルは、手動で入力された部分的な情報と、リンクされたソースからの収集により更に完全な情報とを得ることができる。仮にターゲットサブプロファイルが受取人の電子メールアドレスのみを有する場合であっても、システム１０は、贈呈者のトランザクションプロファイルとターゲットプロファイルとに基づいて、贈呈者のためのギフトオプションを作ることができる。各受取人は、該受取人のデバイス１４により贈呈者からの警告を受信することができる。該デバイス１４はスマートフォン２２であってもよい。受取人の受諾又は拒否の返答は、無線ネットワークにより贈呈者に伝えられる。受諾によりギフトの購入とギフトの配送とが確認され、拒否によりギフトがキャンセルされる。受諾の他の態様には、再贈呈と統合とが含まれる。再贈呈については、ギフトオプションの価値が受け入れられ、受取人はシステムにおける贈呈者になることを要する。受取人は、ターゲットサブプロファイルをそれぞれのターゲットプロファイルとそれぞれのトランザクションプロファイルとに変換することができるため、ギフトオプションの価値を別の人のギフトオプションとして使用することができる。統合の場合、実際のギフトの購入の代りに、ギフトオプションの価値が受け入れられる。受取人は、他の受取人に配送される統合されたギフトオプションの価値を蓄積することができる。更に、デバイス１４は、システム１０の方法の視覚的提示、並びに贈呈者、トランザクションプロファイル、ターゲットプロファイル及び受取人ターゲットサブプロファイルに関する情報を提供する。該情報には、トランザクションプロファイル、ターゲットプロファイル及びターゲットサブプロファイルのコンテンツの表示が含まれる。
【００５１】
図５は、本発明の概要を示し、贈呈者と受取人との間の関係を例示する。贈呈者は、図1のシステム１０と適合する図１のいかなるデバイス１４を使用してもよい。ターゲットプロファイルは、本発明による「イベント１」〜「イベント・・・」として表されるイベントの日付等のイベントの不確定要素を含む。ターゲットプロファイルは、「個別のギフト」及び「グループのギフト」として表されるギフトのタイプ等の優先的な不確定要素を含む。本発明のシステムは贈呈の推奨を提示し、選択されたギフトオプションは受取人に送られる。受取人は受諾したギフトを使用し又は統合することができる。あるいは、受取人は再度贈呈してもよい。返信メッセージは、「ありがとう」として贈呈者に返信される。
【００５２】
本発明の実施例は、図２〜図４に示すように、ギフトの推奨、監視、選択及び配送を行うための方法を含む。本発明の方法は、データネットワーク又はコンピュータネットワークにおける贈呈者のためのトランザクションプロファイルを維持することを含む。トランザクションプロファイルは、贈呈者に関連するものであり、支払情報および受取人のリストを含む。トランザクションプロファイルは、セキュリティ情報、贈呈者の識別情報、及び贈呈者のクレジットカード番号等の支払詳細を含む。セキュリティ情報は、身元を確認するためのパスワード又は他の音声、網膜スキャン等のバイオメトリックデータを含む。トランザクションプロファイルは、購入等の金融取引をコンピュータネットワーク又は無線ネットワークで行う必要があり、したがって支払い情報が必要である。トランザクションプロファイルは、イベントカレンダー、ソーシャルネットワークアカウント、言語選択、受取人のリスト等、贈呈者を特定するための他の情報も含む。該システムは、該システムを介して贈呈者として支出するユーザーのために、ある程度の説明責任を要する。
【００５３】
コンピュータ又は他のプラットフォーム若しくはデバイスによってアプリケーションにアクセスした後、トランザクションプロファイルを維持するステップを図２に示す。 維持するステップは、欠損データを検出し、贈呈者の他のソーシャルネットワークアカウントの情報から欠損データを完成し、贈呈者が欠損データの受諾を確認することを含む。 本発明は、トランザクションプロファイルの一定レベルの完成を必要とする。例えば、トランザクションプロファイルがシステム１０を使用できるようにするためには、最小限の支払情報が必要である。一定レベルの完成は、トランザクションプロファイルにリンクされた他のソースからの情報を追加することにより、手動又は自動で入力することができる。システム１０上の贈呈者としてのユーザ−は、システム１０を介した支払に金銭的にリンクしていなければならない。トランザクションプロファイルは、贈呈者による手動の更新なしに、システムにより自動的に更新される。
【００５４】
実施例は、受取人のリストを積極的にコンパイルすることによりトランザクションプロファイルを維持することをも含む。ソーシャルネットワーキングアカウントの連絡先のリスト又は手動入力の連絡先のリストから完成させる他、他の第三者ソースから受取人のリストを追加することができる。例えば、電子メールや電子招待状には関係者のリストが含まれており、これらの関係者を収集して受取人のリストに含ませることができる。贈呈者は、これらの潜在的な受取人を追加するための示唆を管理することができる。受取人のリストを更新し、システムとの互換性を定期的に再検討することができる。
【００５５】
贈呈者は、ターゲットプロファイルも維持する。ターゲットプロファイルには、同期され、リンクされたソーシャルネットワークアカウント又は他のデータソースから収集された情報を追加することができる。ターゲットプロファイルは、イベントの不確定要素、ロジスティックの不確定要素、身元の不確定要素、アクティビティの不確定要素、及び好みの不確定要素を含む。これらの不確定要素には、オンラインで収集された情報、ソーシャルネットワークアカウントから同期された情報、又は贈呈者が手動で入力した情報が含まれる。データは、例えばＧＰＳの位置及びメタデータ、ソーシャルメディサイトに投稿した時刻等、デバイス１４から収集することができる。不確定要素のデータは文字数字の情報に限定されず、システムはすべてのタイプのデータを用いてターゲットプロファイルとターゲットサブプロファイルを設定することができる。
【００５６】
本発明は、ターゲットプロファイルの一定レベルの完成を必要とする。例えば、ターゲットプロファイルがシステム１０を使用できるようにするためには、最小限のＧＰＳの位置が必要とされる。郵便番号のようなＧＰＳの位置に基づいてさらなる情報を収集することができる。郵便番号は、特定の郵便番号に住む個人の社会経済的地位など、更なる情報を収集することができる。一定レベルの完成は、ターゲットプロファイルにリンクされている他のソースからの情報を追加することにより、手動又は自動で入力することができる。
【００５７】
本発明の方法の実施例は、贈呈者のトランザクションプロファイルの受取人リストにおける各受取人のためのターゲットサブプロファイルを維持することをも含む。各受取人は、贈呈者のターゲットプロファイル又はトランザクションプロファイルにより最初に作成されたターゲットサブプロファイルに関連する。ターゲットサブプロファイルは、イベントの不確定要素、ロジスティックの不確定要素、身元の不確定要素、アクティビティの不確定要素、及び好みの不確定要素よりなる。これらの不確定要素は、贈呈者の視点ではなく受取人の視点に関連しているが、データの収集と編集のタイプは類似している。受取人は、ターゲットサブプロファイルのみで開始できる。ターゲットプロファイルとターゲットサブプロファイルとの不確定要素は同じであるため、ターゲットサブプロファイルのみを有する受取人はシステム１０の贈呈者に容易に変わることができる。ターゲットサブプロファイルはターゲットプロファイルとなることができ、受取人はトランザクションプロファイルを完成させることができるため、受取人はシステム１０に十分に参加することができる。
【００５８】
イベントの不確定要素は、贈呈者がギフトを受取人に送ることを欲する日であり、イベントの当日又はその前日が含まれる。例えば、休日の日付、イベントの日付、その他のギフトの日付が含まれる。贈呈者は、特定の受取人に関するイベントの不確定要素を編集することができる。
【００５９】
ロジスティックの不確定要素は取引情報である。例えば、ＧＰＳの位置、販売者の近接度、郵送先住所、販売者の取引、販売者との結びつき等が含まれる。この方法は、本発明を実施するために割引又は特別料金の特定のギフトについて販売者を承認することを含む。割引又は特別料金は、システム１０を介して販売者により更新されるリアルタイムオプションであってもよい。
【００６０】
身元の不確定要素は個人データである。例えば、社会経済的プロファイル、年齢、趣味、教育、就学、文化的アイデンティティ、宗教的アイデンティティ、国籍、居住地、購買行動、オンライン活動、習慣、贈呈者との関係、所得水準、ソーシャルネットワーキングアカウントが含まれる。贈呈者に関する詳細はターゲットプロファイルに組み込むことができ、受取人に関する詳細はターゲットサブプロファイルに組み込むことができる。贈呈者又は受取人による手動入力もあり得る。システム１０は、ソーシャルネットワーキングアカウント又はゲームプロファイルのようなオンラインの他のデータソースから身元の不確定要素を自動的に追加することもできる。
【００６１】
アクティビティの不確定要素は、行動データと追跡データである。例えば、互恵的行動、購買行動、ソーシャルネットワークアクティビティ、更にはギフトオプションのメニューのオーバーライドないしギフトオプションのメニューのデフォルトの如きギフト履歴が含まれる。受取人が贈呈者にギフトを与えたか否か、並びに本発明のシステム及び方法を介して受け取った過去のギフトの記録は、本発明において考慮される。ギフトの履歴には、購入（実施又は不実施）、受け取ったギフト、取引の特定、購入日、購入時間、デフォルトの購入要件、及びオーバーライドが含まれる。オーバーライドには、ギフト選択メニューのギフトオプションの改訂と手動調整のインスタンスが含まれる。別の例は、接触頻度又は他の接触処理である。贈呈者が特定の受取人にメッセージを送信しているか否か、また送信の数と頻度が追跡される。連絡先リストの追加処理は、特定の受取人のギフト適格性等の他の不確定要素に影響を及ぼすようにスクリーニングして使用することができる。
【００６２】
好みの不確定要素は、贈呈者により課される任意の制約である。すべての友人と連絡先が必ずしも同等ではないため、贈呈者はギフトの適格性、ギフトの種類、金額の範囲、および特定の受取人に対するアラートの起動をカスタマイズすることができる。ギフトの適格性には、受取人がギフトに指定されているか否か、若しくはギフト、ギフトカードないし簡単なメッセージをイベントの日に送付するか否か、又はその両方が含まれる。贈呈者のプロフィールからの連絡先のリストにおける連絡先は、すべてがギフトを受け取るように指定されているわけではない。システムは、どの連絡先が指定されているかを判断することができる。しかしながら、贈呈者は、各受取人のギフト適格性を各別に又はグループとして手動で設定し、以てシステムと方法が贈呈者により設定された正しいギフト適格性を備えたイベントについてのみ実行されるようにすることができる。ギフトの種類には、ギフトカード、商品、サービス、資産、デバイス、信託口座、又は他の複雑なギフトが含まれる。複雑なギフトとは、グループのギフト、名義付き財産、名義付き車両、金融口座、授業料等、購入価格の支払い以外の配送のための付加的要件付きのギフトである。金額の範囲は、贈呈者が負担する金額に対応する。アラートアクティベーションは、イベントの１ヶ月前又はイベントの数時間前等、贈呈のリマインダーの頻度を設定する。
【００６３】
ターゲットサブプロファイルを維持するステップは、欠落した不確定要素を検出してターゲットサブプロファイルを完成させるステップをも含む。この方法は更に、受取人のソーシャルネットワークアカウントから欠落した情報を追加して完成させ、欠落した情報を受取人が受諾することを確認することを含む。例えば、各受取人の誕生日は、仮に贈呈者がターゲットサブプロファイルを完成させるためにデータを手動で入力しなくても、ソーシャルネットワークアカウントから取得することができる。本発明は、ターゲットサブプロファイルの一定レベルの完成を必要とする。例えば、ターゲットサブプロファイルをシステムに含ませるためには、最小限の電子メールアドレスが必要である。一定レベルの完成は、ターゲットサブプロファイルにリンクされた他のソースからの情報を追加することにより、手動又は自動で行うことができる。ターゲットサブプロファイルの一定レベルの完成は、贈呈者のトランザクションプロファイル又はターゲットプロファイルの一定レベルの完成とは異なる。受取人がシステム１０の「外側」になるように、ターゲットサブプロファイルを積極的に維持する必要はない。本発明は、対応するターゲットサブプロファイルが一つ又は少ない情報のみを有する場合であっても、受取人のためのギフトを推奨することができる。電子メールアドレスを用いて、システム１０はギフトカードを推薦することができる。一定レベルの完成は、ターゲットサブプロファイルにリンクされた他のソースからの情報を追加することにより、手動又は自動で行うことができる。
【００６４】
図２は、アラートを贈呈者に送信するステップを示す。アラートは、ターゲットプロファイルに基く。アラートは、イベントカレンダー又は新たに特定された贈呈の連絡先等、ターゲットプロファイルのイベントの不確定要素に基いたリマインダーである。アラートは、アラートの起動又はギフトの適格性等、ターゲットプロファイルの好みの不確定要素に基づくリマインダーである。イベントの日付に関するイベントの不確定要素はアラートの起動を決定するために用いることができ、早いリマインダーに関する好みの不確定要素はイベントの数日前又は数週間前に送信するために用いることができる。アラートは、テキストメッセージ、電子メール通知又は贈呈者の郵送先住所への手紙等のリマインダーであってもよい。また、画面のポップアップやサウンドをアラートとしてもよい。一部の実施例においては、送信するステップは、贈呈者が特定の受取人にギフトを与えることを望むか否かがチェックされるように、ターゲットプロファイルのギフトの適格性及びターゲットサブプロファイルのギフトの適格性を確認するステップを含む。一旦確認されると、本発明の方法は次のステップに進む。別の実施例においては、送信するステップは、贈呈者が特定の受取人にギフトを与えないことを決定したときに、ターゲットプロファイルのギフトの適格性を拒否することを含む。贈呈者は特定のアラートのギフトを与えることを拒否することができ、贈呈は停止する。拒否は、ターゲットプロファイル及びターゲットサブプロファイルのアクティビティの不確定要素としてギフト履歴に記録される。この拒否は、本発明の方法に対する一種のオーバーライドである。
【００６５】
本発明の実施例は、図１、図２、図５に示すように、インタフェースを有するデバイス又は端末上にギフト選択メニューを提示するステップを含む。ギフト選択メニューは、複数のギフトオプションを備えている。ビジュアルディスプレイにはギフト選択メニューが表示され、各ギフトオプションにはアイテム、価格、費用、税金、ギフトの販売者が含まれる。ギフトは、商品、サービス、ギフトカード、価値のあるクレジット、又は電子ギフトカードである。ギフトに購入価格に加えて追加の要件がある複雑なギフトオプションもある。複雑なギフトには、名義付き車両、有形無形の資産、財務勘定、金融口座、信託勘定、貯蓄債券、第三者に支払われる授業料、及び慈善寄付が含まれる。各ギフトオプションには、ターゲットプロファイルに基づくターゲット格付けもある。一部のバージョンには、ターゲットプロファイルに加えてターゲットサブプロファイルに基くターゲット格付けが含まれる。ギフト選択メニューは、該ギフト選択メニューに載る資格を得るようにターゲット格付けの所定範囲内に入る推奨ギフトオプションにより形成される。例えば、ギフト選択メニューは３〜６のギフトオプションから始まる。ギフト選択メニューは、ターゲット格付けの範囲を広げ、更に、追加のギフトオプション又はより少ないギフトオプションを示すために調整することができる。
【００６６】
本発明においては、ギフトオプションのターゲット格付けは、第一に、贈呈者のターゲットプロファイル又は受取人のターゲットサブプロファイルに基く。図３、図４は、メニュー１００を提示するステップの実施例を示し、アレイ（贈呈者１１０）用のターゲットプロファイルの第一ファクタ又はサブアレイ（受取人１１２）用のサブプロファイルの第一ファクタを選択することを含む。贈呈者のターゲットプロファイルのイベントの不確定要素、ロジスティックの不確定要素、身元の不確定要素、アクティビティの不確定要素、及び好みの不確定要素からの不確定要素数１０２は、選択された第一ファクタ１０４となり得る。システムは、贈呈者ベースのアレイ又は受取人ベースのサブアレイのいずれかの実施例において、選択された第一ファクタ１０４を修正し更新することができる。贈呈者又はシステムは、動作のデフォルトモードとして、アレイ又はサブアレイの第一ファクタを選択することができる。図３は、贈呈者１１０に基くメニュー１００のためのアレイを形成する二つの選択された第一ファクタ１０４を示す。本発明においては、受取人１１２のサブアレイに基くメニューも可能である。例えば、一つの選択された第一ファクタ１０４は、地理的位置等のロジスティックの不確定要素であり、別の選択された第一ファクタ１０４は、中国の結婚等の身元の不確定要素である。ターゲットテンプレート１０６は、選択された各第一ファクタ１０４に対して設定される。例えば、ターゲットテンプレートは、米国を地理的位置として特定し、中国の結婚式については１００〜１０００ドルの価値範囲を特定する。ターゲットテンプレートは、アレイに適用され、したがって、フィルタリングされたアレイに適合するターゲット格付けに対応するギフトオプションのみがメニュー１００に提示される。一部の実施例においける方法は、アレイにおける一つの選択された第一ファクタを別の選択された第一ファクタよりも重みを付けることもある。選択された第一ファクタの順序を設定することもできる。重み付けおよび順序付けは、贈呈者又はシステムにより決定することができる。動作のデフォルトモードがあり得る。贈呈者は、受取人の物理的位置と低い配送コストの近隣の販売者を重み付けされ選択された第一ファクタであると決定することもある。
【００６７】
図４は、ギフト選択メニュー１００を提示するステップの別の実施例を示す。この方法は、贈呈者に対応するターゲットプロファイルのイベントの不確定要素１０２、ロジスティックの不確定要素１０２、身元の不確定要素１０２、アクティビティの不確定要素１０２、及び好みの不確定要素１０２から第二ファクタを選択し、選択された第二ファクタ１１４を特定することを含む。再び、システム又は贈呈者は第二ファクタを選択することができ、選択された第二ファクタ１１４は変更可能である。図４の例おいては、選択された第二ファクタ１１４は身元の不確定要素、すなわち、贈呈者の社会経済的地位である。プリセットテンプレート１１６は、選択された各第二ファクタ１１４ごとに設定される。特定の社会経済的地位の贈呈者用に推奨される金額は、プリセットテンプレートでよい。続いて、フィルタリングされたアレイは、選択された第二ファクタ１１４及びプリセットテンプレート１１６に従って二重にフィルタリングされたアレイを形成するように修正され、二重にフィルタリングされたアレイに適合するターゲット格付けに対応するギフトオプションのみがメニュー１００に提示される。
【００６８】
図３、図４は、贈呈者に基くアレイで始まるが、受取人に関する情報はギフト選択メニューを提示するステップに追加することができる。更に、この方法は、受取人に対応するそれぞれのターゲットサブプロファイルのイベントの不確定要素１０２、ロジスティックの不確定要素１０２、身元の不確定要素１０２、アクティビティの不確定要素１０２、及び好みの不確定要素１０２から追加の第一ファクタを選択し、追加の選択された第一ファクタ１０８を特定することを含む。受取人が参加しないおそれがあるため、システムは追加の選択された第一ファクタを選択し、更に、システムは追加の選択された第一ファクタ１０８を修正することができる。図４の例においては、追加の選択された第一ファクタ１０８は身元の不確定要素、すなわち、受取人の社会経済的地位である。追加のターゲットテンプレート１２０が追加の選択された各第一ファクタ１０８に設定される。特定の社会経済的地位を有する受取人に推奨されるギフトオプションは、プリセットテンプレートであってもよい。続いて、二重にフィルタリングされたアレイは、追加の選択された第一ファクタ１０８と追加のターゲットテンプレート１２０とにしたがって修正され、三重にフィルタリングされたアレイが形成される。三重にフィルタリングされたアレイに適合するターゲット格付けに対応するギフトオプションのみがメニュー１００に提示される。
【００６９】
更に別の実施例においける方法は、受取人に対応するそれぞれのターゲットサブプロファイルのイベントの不確定要素１０２、ロジスティックの不確定要素１０２、身元の不確定要素１０２、アクティビティの不確定要素１０２、及び好みの不確定要素１０２からから追加の第二ファクタを選択し、追加の選択された第二ファクタ１１８を特定することを含む。受取人が参加しないおそれがあるため、システムは追加の選択された第二ファクタを選択し、更に、システムは追加の選択された第二ファクタ１１８を修正することができる。追加のプリセットテンプレート１２２は、追加の選択された各第二ファクタ１１８に設定される。続いて、三重にフィルタリングされたアレイは、追加の選択された第二ファクタ１１８と追加のプリセットテンプレート１２２とにしたがって修正されて四重にフィルタリングされたアレイが形成される。四重にフィルタリングされたアレイに適合するターゲット格付けに対応するギフトオプションのみがメニュー１００に提示される。
【００７０】
本発明の実施例は、贈呈者の選択された第一ファクタ及び選択された第二ファクタ、並びに受取人の選択された第一ファクタ及び選択された第二ファクタの一つ又は任意の組み合わせを用いることを含む。
【００７１】
本発明の方法及びシステムは、更に、贈呈者とそれぞれの受取人との両者の第一ファクタと第二ファクタとの選択を修正することを含む。選択された第一ファクタ又は第二ファクタに関する更新された情報は、対応するアレイ又はサブアレイの変更に用いることができる。例えば、身元の不確定要素は専門職であり、テンプレートはその専門職については特定のイベントのギフトを倍増させるものである。専門職の身元の不確定要素は以前は第二ファクタであったが、システムは専門職をアレイに追加される選択された第一ファクタとして修正し、学習することができる。システムは、この更新された情報についてシステムユーザのパターンおよび行動を観察することによって学習することができる。
【００７２】
本発明の方法及びシステムの実施例は、更に、贈呈者とそれぞれの受取人との両者のターゲットテンプレート、プリセットテンプレート、追加のターゲットテンプレート、及び追加のプリセットテンプレートを修正することを含む。テンプレートの一つに対応する選択された第一ファクタ又は第二ファクタに関する更新された情報は、対応するアレイ又はサブアレイのフィルタリングを変更するために用いることができる。例えば、贈呈者が新しい仕事を始め、社会経済的地位が変わる。無理なく買えるギフトの範囲が以前と異なっている。このような場合には、ターゲットテンプレートは対応する選択された第一ファクタの異なる範囲を含むことができる。
【００７３】
アレイ又はサブアレイを修正し、テンプレートを修正するステップは、贈呈者又は受取人に関する更新された情報に対応する。システムは動的であり、アレイとテンプレートを学習し、改良し続ける。アレイ又はサブアレイを修正し、テンプレートを修正するステップの制御は、自動又は手動で行うことができる。一実施例においては、アクティビティの不確定要素としてのギフト履歴を第一ファクタとして選択することができる。贈呈者のギフト履歴は、それぞれのターゲットテンプレートを修正して、受取人に費やされる金額を変更するために使用することができる。例えば、ターゲットテンプレートは１００〜４００米ドルで開始されているが、ギフト履歴は実際のギフトオプションが４００米ドルで選択されたことを示した。このような場合、ギフト履歴の自動監視により、ターゲットテンプレートは３００〜５００米ドルに調整される。更に、ギフト履歴は受取人に影響を与えるため、４００米ドルのギフトの受諾に関する第一ファクタの監視は、受取人のサブアレイとテンプレートとを修正するステップに対応する。
【００７４】
手動制御の実施例は、オーバーライドとウィッシュリストとを含む。オーバーライドは、第一ファクタとしてアクティビティの不確定要素である。１００〜４００米ドルのターゲットテンプレートの例においては、選択されたギフトオプションは５００米ドルであり、オーバーライドである。贈呈者は、本発明の方法におけるターゲットテンプレートを変更する手動制御を有する。ギフト選択メニューを提示するステップは、選択された第一ファクタとしてのオーバーライドに基く。この実施例においては、オーバーライドは選択された主要な第一ファクタであるが、依然として本発明の第一ファクタは残る。別の実施例においては、受取人のウィッシュリストは第一ファクタとしての好みの不確定要素である。１００〜４００米ドルのターゲットテンプレートの例においては、ウィッシュリストは２５０米ドルと４５０米ドルとを含む。贈呈者は２５０米ドルと４５０米ドルとの両方をターゲットテンプレート、すなわち、メニューにある特定のギフトオプションのウィッシュリスト、にリストする手動制御を有する。ギフト選択メニューを提示するステップは、選択された第一ファクタとしてのウィッシュリストに基く。この実施例においては、ウィッシュリストは、選択された主要な第一ファクタであるが、依然として本発明の本法における第一ファクタは残る。
【００７５】
贈呈者と受取人との両方としてのシステムのすべてのユーザーの完成したトランザクションプロファイル、ターゲットプロファイル及びターゲットサブプロファイルは、すべての贈呈者に最良のギフト選択メニューを提示する。フィルタリングと修正は、理想的なギフトオプションを生む。完全とは言えないプロファイル及びサブプロファイルの場合であっても、システム及び方法は、
プロファイル及びサブプロファイルに少なくともいくつかの情報を有する贈呈者に、改善されたギフト選択メニューを提示する。受取人がターゲットサブプロファイルの電子メールアドレスのみで特定される場合においても、贈呈者にギフト選択メニューを提示することができる。
【００７６】
更に、本発明は、贈呈者がギフト選択メニューから選択されたギフトオプションを選定することを含む。贈呈者は、その過程でギフトオプションを選定するステップを制御する。贈呈者は、トランザクションプロファイルのデフォルトを積極的に制御又は設定することができ、ギフトを送るための贈呈者の更なる行動を必要とすることなく、選定ステップが自動的に行われる。ギフト選択メニューは、広範囲にわたるオンラインリソースを、考慮により適したギフトオプションの焦点を合わせたグループに絞り込む。ギフトオプションは本発明により予め選別され決定されるため、贈呈者は受取人のターゲットサブプロファイルにすでに入力されたファクタを検討する必要はない。ギフト選択メニューに含めるのに適したターゲット格付けを備えたすべてのギフトオプションは特定される。一部の実施例においては、選択されたギフトオプションを選定するステップは、贈呈者のプロファイルに基くトランザクション識別子を作成するステップを含む。トランザクション識別子は、贈呈者の電話番号、受取人の電話番号、独自のコード、並びに日付、時間、分及び秒の独自のタイムスタンプのうちの一つで構成することができる。トランザクション識別子は、選択されたギフトオプションに関連し、受取人による履行のための独自の識別子である。ギフトオプションを選択するステップも、ギフト履歴、並びにターゲットプロファイル及びターゲットサブプロファイルのアクティビティの不確定要素として記録される。
【００７７】
選択されたギフトオプションを選定するステップの実施例は、金額の範囲を確認することをも含む。例えば、特定のギフトオプションに直面した場合、贈呈者はもっと大きい価値又はもっと小さい価値のギフトを贈呈するように手作業で金額又はギフトの種類を変更ことができる。ギフトカードや金融投資の例では、金額は贈呈者により調整することができる。したがって、選択されたギフトオプションを選定するステップは、金額の範囲を変更し、変更された金額の範囲をターゲットプロファイル及び特定の受取人のターゲットサブプロファイルに格納することをも含む。変更されたギフトオプションが確認され、その変更は、贈呈者による以後のギフトのための改善されたギフト選択メニューに使用されるターゲットプロファイルに格納される。
【００７８】
本発明の次のステップは、選択されたギフトオプションの通知を受取人に送信することである。通知は、受取人に応じて、ターゲットプロファイル又はターゲットサブプロファイルに従って、受取人に送信される。例えば、通知は、サーバから受取人のスマートフォン若しくは電子メールアカウント又は受取人の郵送先住所に送られる。ターゲットサブプロファイルの身元の不確定要素には、受取人の連絡先情報が含まれる。次のステップを決定する権限は受取人に移る。
【００７９】
本発明のシステム及び方法の実施例は、受取人の応答をコンピュータネットワークに格納することを含む。応答は受諾又は拒否である。これらの応答は、贈呈者のターゲットプロファイルのギフト履歴および受取人のターゲットサブプロファイルに格納され、その結果、ギフト選択メニューは、以後のギフト選択メニューのために更に改善される。この応答は、将来、贈呈者と受取人との両方にギフト選択メニューを提示する以後のステップにおいて、ターゲット格付けに影響を及ぼす可能性がある。
【００８０】
応答を格納するステップは、受取人からの応答を受信するステップを含む。受取人はメールを送信し、又はリンクをクリックして応答を示すことができる。受取人は、システムに接続された任意のデバイスによりシステムへの応答を入力することができる。
【００８１】
応答が受取人による受諾である場合、本発明の方法は、選択されたギフトオプションの受諾の確認と、贈呈者への受諾の確認を含む。続いて、本発明は、贈呈者が選択されたギフトオプションを贈呈者プロファイルで購入すること、選択されたギフトオプションに対応する選択された販売者に連絡すること、支払情報を贈呈者から選択された販売者に転送すること、及び選択されたギフトオプションに対応するギフトの配送を選択された販売者から受取人に確認することとを含む。トランザクション識別子を有する実施形態では、購入するステップは、贈呈者プロファイルに基いてトランザクション識別子を確認するステップを含む。
【００８２】
本発明の一部の実施例においては、ギフトオプションは複雑なギフトアイテムを含む。複雑なギフトアイテムは、購入価格の他にギフトと追加のギフト要件で構成されている。追加の要件は、自動車又は信託口座を贈呈することである。例えば、自動車の代金の他、保険の証明と名義変更が要求される。信託口座又は他の金融商品の資金調達には、身分証明書やその他の税務情報が必要である。これらの追加の要件も本人が完成させる必要がある。この方法には、贈呈者が個人的に販売者を訪問する代わりに、追加の要件を完成させるステップが含まれる。
【００８３】
別の複雑なギフトアイテムはグループギフトであり、追加の要件は、複数の贈呈者と、それぞれのトランザクションプロファイルと、それぞれのターゲットプロファイルである。この方法の実施例においては、各ターゲットプロファイルのフィルタリングされた各アレイはグループギフトを特定し、各ターゲットテンプレートのプリセットの範囲はグループギフトのためにフィルタリングする。贈呈者又はシステムは、グループギフトを特定するためにフィルタリングを制御することができる。
【００８４】
別の複雑なギフトアイテムは第三者のギフトであり、追加の要件は、受取人の代りに受諾することが確認された独立した受取人である。授業料や慈善の寄付の場合、受取人は実際のギフトを受け取ることはない。大学、慈善団体等の第三者が支払いを受け取る。この方法には、これらの追加要件を完成させることが含まれる。第三者のギフトは、一人の受取人の授業料を払う複数の親戚等、グループの第三者のギフトでもある。本発明の実施例においては、追加の要件は、複数の贈呈者と、それぞれのトランザクションプロファイルと、それぞれのターゲットプロファイルとを含む。各ターゲットプロファイルのフィルタリングされた各アレイはグループギフトを特定し、各ターゲットテンプレートのプリセットの範囲はグループギフトのためにフィルタリングする。各ターゲットプロファイルと各トランザクションプロファイルを使用して、受取人に代わって第三者に資金を移転することができる。贈呈者又はシステムは、特定のギフト及び販売者へのフィルタリングを制御することができる。
【００８５】
ギフト履歴、すなわち、アクティビティの不確定要素は、ギフトオプションを受諾するという応答に基いて更新される。一部の実施例においては、この方法は、受取人若しくは贈呈者、又は販売者、広告者の如くシステムに参加している他の当事者により、システムに料金が支払われることを含む。料金の支払いは、選択されたベンダーに対する払い込み情報の転送の一部とすることができる。
【００８６】
応答が受取人による受諾の場合、本発明の方法は、受取人によるターゲットサブプロファイルの確認、受取人によるターゲットサブプロファイルへの追加、及び、受取人が贈呈者である場合、対応する受取人のトランザクションプロファイルを作成すると共にターゲットサブプロファイルを対応するターゲットプロファイルに変換するためにオプションを提示することを含む。郵送先住所等、特定の情報を確認する必要がある場合がある。受取人がシステム内で積極的になり、トランザクションプロファイルとターゲットプロファイルとを管理し、贈呈者と受取人の両方の能力を持つユーザーになることは自由である。
【００８７】
応答が受取人による拒否の場合、方法の一実施例は、選択されたギフトオプションの拒否を確認することと、贈答者への拒否を確認することとを含む。ギフトオプションが前払いされている場合、この方法は、ギフトの価値に対応する払込額を贈呈者に戻すことを含む。購入がなく、販売者が関与していない場合、応答はターゲットプロファイルおよびターゲットサブプロファイルのギフト履歴として保存される。本発明のシステムが贈呈者から資金を受け取った場合、トランザクションプロファイルにはその金額が貸方に記入され、又はその金額が贈呈者に払い戻される。応答が拒否であっても、本発明の方法は、受取人によるターゲットサブプロファイルを確認すること、受取人によるターゲットサブプロファイルへ追加すること、及び対応するトランザクションプロファイルを作成するオプションを提示すると共にターゲットサブプロファイルを受取人の対応するターゲットプロファイルに変更することを含む。更に、受取人は、贈呈者がシステムを介して受取人に贈呈することを阻止することができる。
【００８８】
応答が受取人による受諾であり、かつ、受取人が当該ギフトを再贈呈したい場合、方法の別の実施例は、選択されたギフトオプションの受諾を確認すること、贈呈者への受諾を確認すること、選択されたギフトオプションの価値を売掛金額へ変換すること、ターゲットサブプロファイルを対応するターゲットプロファイルへ変換すること、対応するトランザクションプロファイルを形成すること、及びギフトの価値に対応する売掛金額を対応するトランザクションプロファイルにおける受取人に追加することを含む。ターゲットサブプロファイルを対応するターゲットプロファイルに変換するステップは、複数のターゲットサブプロファイルを単一のターゲットプロファイルに結合するステップを含む。例えば、受取人は、種々の電子メールアドレスを有するために、複数のターゲットサブプロファイルにギフトオプションを受け取っている可能性がある。受取人は、第一のターゲットサブプロファイルと第二のターゲットサブプロファイルとを有し、これらのサブプロファイルからの情報を使用して、贈呈者としてターゲットプロファイルとトランザクションプロファイルとを形成することもできる。受取人は、身元を確認し、複数のターゲットサブプロファイルを対応するターゲットプロファイルでもある単一のターゲットサブプロファイルに結合することができる。受取人は、対応するトランザクションプロファイルと対応するターゲットプロファイルを介してギフトを送るために、システムにおけるユーザーとして行動することができる。受取人は、再贈呈するためには、対応するトランザクションプロファイルと、対応するターゲットプロファイルとを作成するように促される。受取人は、贈呈者への受取人プロフィールにより、もはや本発明のシステム内にのみ存在するのではない。再贈呈する受取人は、トランザクションプロファイルを持つ贈呈者になる必要がある。更に別の実施例は、受取人を贈呈者又は再贈呈者とし、売掛金額をトランザクションプロファイル及びターゲットプロファイルの一部として、本発明のステップを繰り返すことを含む。他の実施例は別の売掛金額を対応するトランザクションプロファイルに追加することを含む。複数のギフトオプションは、再贈呈の贈呈者としての受取人により統合され、再利用される。異なる価値及び異なる通貨のギフトを含む異なるギフトオプションを本発明に統合することができる。例えば、異なる販売者からのギフトカードを統合して、別の異なる販売者から再贈呈することができる。異なるイベントからのギフトオプションを統合することもできる。
【００８９】
本発明の実施例は、応答を格納するステップの後に、メッセージを贈呈者に送信し、贈呈者と受取人とを異なる通信プラットフォーム上でリンクする追加のステップを含む。メッセージは感謝の気持ちを表し、贈呈者と受取人はシステムから解放され、相互に直接コミュニケーションをとる。
【００９０】
本発明は固定されたものではない。ターゲットテンプレートとターゲットサブテンプレートは、より適切なギフトオプションを提供するように修正される。
アレイおよびサブアレイは、異なる第一ファクタを選択することにより修正される。アレイのデフォルトモード動作も調整できる。本発明のさらなる実施例は、応答に基いてターゲットテンプレートを修正し、応答に基いてターゲットサブテンプレートを修正し、選択されたギフトオプションに基いてターゲットテンプレートを修正することを含む。各第一ファクタのプリセットの範囲を調整することができる。選択されたギフトオプションの第一ファクタからなる選択レポートが生成され、選択されたギフトオプションの第一ファクタを含むように、プリセットの範囲が変更される。同様の選択レポートはターゲットサブテンプレートに適用することができる。選択されたギフトオプションがギフト選択メニューのオーバーライドである場合、ギフト選択メニューはターゲットテンプレートにより修正され、その後のギフト選択メニューは過去の履歴に従って修正される。不確定要素は、情報がテンプレートおよび動作のデフォルトモードを変更するために使用されるように追跡される。デフォルトはあるが、デフォルトはシステムにより変更することができる。
【００９１】
本発明の別の実施例は、コンピュータ可読プログラムを有するコンピュータ使用可能媒体より構成されるコンピュータプログラム製品を含む。該プログラムは、ギフトの推薦、監視、選択、及び配送の方法のためのプロセッサとメモリとを備えたコンピュータ上で実行することができる。
【００９２】
本発明は、デバイスプラットフォーム用のオンラインでギフトを贈呈するための改良された方法及びシステムを提供する。コンピュータ、モバイルデバイスその他の互換装置は、本発明のためのソフトウェア又はアプリケーションをダウンロードして、特別な機器またはハードウェアを不要ならしめることができる。贈呈者プロファイルにアクセスするためのセキュリティ保護及びシステム内の実際の購入のための追加のトランザクション識別子は、オンラインでのギフトの贈呈のためのこの方法のセキュリティに対処する。ギフト選択メニューは、オンラインリソースでのギフトの贈呈に費やされる時間と労力を削減する。ギフト選択メニューを提示することは、ギフトを送るための警告を監視すること、及びギフトオプションを推奨することを含む。本発明の方法は、贈呈者のターゲットプロファイルのフィルタリングされたアレイ内のターゲット格付けに対応するギフトオプションにより形成されるギフト選択メニューを含む。フィルタリングされたアレイは、動作のデフォルトモード及びシステムによりプリセットの範囲を有するターゲットテンプレートとして、贈呈者又はシステムにより設定された第一ファクタに基く。贈呈者及びテンプレートのシステムからの示唆に関連する考察は、ギフト選択メニューのギフトオプションを特定するために使用される。フィルタリングされたアレイは、贈呈者の重み付け及び順序付けされた第一ファクタ、贈呈者の第二ファクタ又は特定の受取人のフィルタリングされたサブアレイにより修正される。ターゲットテンプレートも修正することができる。オーバーライドとデフォルトとを用いてプリセットの範囲を調整し、以て、追跡された不確定要素がギフトオプションの特定の精度を増大させ、選択の機会を向上させることができる。このシステムおよび方法は、贈呈者により良いギフトオプションを提供するように進化し、贈呈者はギフト贈呈プロセスに費やす時間と量力を減少させる。
【００９３】
本発明は、ギフトオプションを推奨する以外に、更に、ギフトオプションを選択し、購入後にギフトオプションのギフトを配送することを可能にする。本発明は、ギフト選択メニューを提示することに加えて、ギフトの物理的配送の動作を実行することができる。また、本発明は、グループギフト、名義付きギフト及び第三者ギフトの配送が、フィルタリングされたアレイを介して贈呈者及び受取人に特定され得るように、複雑なギフトアイテムを処理する。複雑なギフトアイテムの追加要件は、贈呈者若しくは受取人又はその両者により更に完成される。
【００９４】
また、本発明は、受取人による再贈呈又は統合のための選択されたギフトオプションを受け入れるための方法を組み込んでいる。このシステムは、受取人が贈呈者又は再贈呈の贈呈者として参加する簡単な方法を提供することにより、贈呈者としてのユーザー数を拡大する。受取人は贈呈者になることができ、贈呈者又は再贈呈者としての受取人のために、ギフトを監視し、推薦し、選択し、配送するステップを繰り返すことができる。
【００９５】
本発明の他の利点は、異なるプラットフォーム上の贈呈者と受取人との間の通信を開くことを含む。確認メッセージの後、この方法は、テキストまたはシステム外部の電子メールによる継続的な通信のためのリンクを促すことを含む。また、ギフトの贈呈の方法は、イベントのためのギフトの選択と該イベントの日の配送日とを調整するための事前通知リマインダーと、ギフトの自動配送のためのデフォルトセッティングオプションとを設定する。トランザクションプロファイルとターゲットプロファイルは、早くから計画する人及び時間ぎりぎりの買い物客のために設定することができ、また、特定の受取人に対するギフトの自動配送による誕生日の逃しを防止することもできる。
【００９６】
本発明の前述の開示と説明は、例示的なものである。記載された方法の細部における様々な変更は、本発明の要旨を逸脱することなく行うことができる。
【図１】
0006706334.tif 000002
【図２】
0006706334.tif 000003
【図３】
0006706334.tif 000004
【図４】
0006706334.tif 000005
【図５】
0006706334.tif 000006